(57)【要約】【課題】  移動時の操作性に優れ、しかも配置の態様に応じて、把手が邪魔にならないようにすることができるようにしたスタンドボードを提供する。【解決手段】  上下方向を向くボード２の下端部に、キャスタ９付きの脚１ａを設けたスタンドボードにおいて、ボード２の少なくとも一方の側端部に、外側方に向かって突出する把手１２を設ける。【選択図】  図１
2006137035.tif 000002
【特許請求の範囲】
【請求項１】
上下方向を向くボードの下端部に、キャスタ付きの脚を備えたスタンドボードにおいて、
前記ボードの少なくとも一方の側端部に、外側方に向かって突出する把手を設けたことを特徴とするスタンドボード。
【請求項２】
把手を、ボードの側側部に、上下方向を向く軸をもって枢着することにより、少なくとも、ボードの左右方向の外側を向く方向と後方を向く方向との間を回動可能としたことを特徴とする請求項１記載のスタンドボード。
【請求項３】
ボードの側部を支持する支柱の中間部に細径部を設け、この細径部に把手を回動可能に取り付けたことを特徴とする請求項１または２記載のスタンドボード。
【請求項４】
把手を、半円筒部を有する２個の把手片からなる２つ割り構造とし、両把手片の半円筒部により支柱の細径部を両側方より挟んで、両把手片を互いにねじ止めすることにより、把手を支柱に枢着したことを特徴とする請求項３記載のスタンドボード。
【請求項５】
支柱を、上下１対の筒体と、両筒体に嵌合された軸とにより形成し、上下の筒体間に把手の円筒部を挟んで、それらに軸を連続して嵌合することにより、把手を支柱に枢着したことを特徴とする請求項３記載の筆記ボードスタンド。
【請求項６】
把手を、ボードの側端部において、上下方向を向く軸に枢嵌された筒部と、この筒部より外側方に延出するアーム部と、このアーム部の先端部に設けられた上下方向を向く把手部とからなるものとした請求項２またはそれに従属する３〜５のいずれかに記載の筆記ボードスタンド。
【発明の詳細な説明】
【技術分野】
【０００１】
本発明は、筆記ボード、間仕切り、展示パネル、スクリーン等に使用可能なスタンドボードに関する。
【背景技術】
【０００２】
従来、ボードの下部にキャスタ付きの脚を設けて、スタンド型の筆記ボード、間仕切り、展示パネル等に使用するスタンドボードは公知である（例えば、特許文献１参照）。
【特許文献１】特開２００４−１７５０４４号公報
【発明の開示】
【発明が解決しようとする課題】
【０００３】
しかし、特許文献１に記載されているようなスタンドボードは、これを移動させる際に操作する操作部が設けられていないため、直接ボードを持って移動操作せざるを得ない。そのため、移動の際の操作性が悪いばかりでなく、ボードに筆記されている場合、筆記マーカが使用者に付着するおそれもある。また、ボードが展示パネルである場合、展示面やボード本体を持って操作することになるので、これらに汚れが付着するおそれがある。
【０００４】
本発明は、従来の技術が有する上記のような問題点に鑑み、移動時の操作性に優れ、しかも配置の態様に応じて、把手が邪魔にならないようにすることができるようにしたスタンドボードを提供することを目的としている。
【課題を解決するための手段】
【０００５】
本発明によると、上記課題は、次のようにして解決される。
(１)上下方向を向くボードの下端部に、キャスタ付きの脚を備えたスタンドボードにおいて、前記ボードの少なくとも一方の側端部に、外側方に向かって突出する把手を設ける。
【０００６】
(２)上記(１)項において、把手を、ボードの側側部に、上下方向を向く軸をもって枢着することにより、少なくとも、ボードの左右方向の外側を向く方向と後方を向く方向との間を回動可能とする。
【０００７】
(３)上記(１)または(２)項において、ボードの側部を支持する支柱の中間部に細径部を設け、この細径部に把手を回動可能に取り付ける。
【０００８】
(４)上記(３)項において、把手を、半円筒部を有する２個の把手片からなる２つ割り構造とし、両把手片の半円筒部により支柱の細径部を両側方より挟んで、両把手片を互いにねじ止めすることにより、把手を支柱に枢着する。
【０００９】
(５)上記(３)項において、支柱を、上下１対の筒体と、両筒体に嵌合された軸とにより形成し、上下の筒体間に把手の円筒部を挟んで、それらに軸を連続して嵌合することにより、把手を支柱に枢着する。
【００１０】
(６)上記(２)項、またはそれに従属する(３)〜(５)項のいずれかにおいて、把手を、ボードの側端部において、上下方向を向く軸に枢嵌された筒部と、この筒部より外側方に延出するアーム部と、このアーム部の先端部に設けられた上下方向を向く把手部とからなるものとする。
【発明の効果】
【００１１】
本発明によると、次のような効果を奏することができる。
(ａ)  請求項１記載の発明によると、ボードの少なくとも一方の側端部に、外側方に向かって突出する把手を設けたので、この把手を持って、スタンドボードを手軽に移動させることができ、操作性がよい。また、ボード本体に触れないで移動操作することができるので、ボードに筆記されているマーカが使用者に付着するおそれがない。
【００１２】
(ｂ)  請求項２記載の発明によると、把手を、ボードの両側に回動可能に取り付けたので、スタンドボードの側部を壁に密接させた状態、あるいは複数のスタンドボードの側部同士を密接させた状態で使用する場合、把手を邪魔にならない位置に回動させておくことができ、スタンドボードの側部に間隔を空けることなく配置することができる。
【００１３】
(ｃ)  請求項３記載の発明によると、スタンド用の支柱を利用して把手を簡単な構造で取り付けることができる。
【００１４】
(ｄ)  請求項４記載の発明によると、支柱の途中に形成した細径部を、把手を２つ割りした２個の把手片で挟持することにより、支柱を取り付けて完成したスタンドボードに、把手を後付けで簡単に取り付けることができる。
【００１５】
(ｅ)  請求項５記載の発明によると、支柱の組み立て時に、把手を、固定部品等を使用することなく、支柱に簡単に組み付けることができる。
【００１６】
(ｆ)  請求項６記載の発明によると、操作性のよい把手を提供することができるとともに、把手を支柱に安定して、かつ簡単に取り付けることができる。
【発明を実施するための最良の形態】
【００１７】
以下、本発明の実施形態を図面を参照して説明する。
図１は、本発明の第１の実施形態を示す斜視図、図２は、同じく、分解斜視図、図３は、図１のIII−III線に沿う拡大横断平面図である。
【００１８】
これらの図に示すように、このスタンドボード(Ａ)は、左右１対の支柱(１)と、この支柱(１)に取り付けられたボード(２)とからなっている。
ボード(２)は、長方形のボード本体(３)と、このボード本体(３)の上下に嵌め込まれ、止ねじ(４)により取り付けられた断面Ｈ形の上枠(５)および下枠(６)と、同じくボード本体(３)の左右に嵌め込まれ、止ねじ(７)により取り付けられた左右１対の断面Ｈ形の縦枠(８)(８)とからなっている。
【００１９】
支柱(１)の下部には、前後方向を向くキャスタ(９)付きの脚(1a)が設けられ、かつ中間部には、後述する把手(12)のための枢軸となる細径部(1b)が形成されている。この支柱(１)は、縦枠(８)の外側の溝(8a)に外側方より嵌合され、かつ上下部内面に固着されているＬ字形のブラケット(10)を、上枠(５)および下枠(６)の外側の溝(5a)(6a)に嵌め込み、止ねじ(11)により固着することによって、ボード本体(３)の両側部に取り付けられている。
【００２０】
把手(12)は、半円筒部(13a)を有する２個の把手片(12a)(12a)からなる２つ割り構造とし、両把手片(12a)(12a)の半円筒部(13a)(13a)により、支柱(１)の細径部(1b)を両側方より挟んで、両把手片(12a)(12a)を互いに止ねじ(14)をもって接合することにより、支柱(１)に枢着されている。
【００２１】
また把手(12)は、両把手片(12a)(12a)が互いに接合された状態で、両半円筒部(13a)(13a)により、細径部(1b)に外嵌する筒部(13)が形成されるとともに、この筒部(13)の上下の端部より外側方に延出する上下１対のアーム(15)(15)と、両アーム(15)(15)の先端部に上下の端部が連設された、筒部(13)より小径の丸棒状をなす上下方向を向く把持部(16)とを備えている。
【００２２】
図３に示すように、把手(12)は、ボード本体(３)の両側端から左右方向の外側を向く実線で示す使用位置から、前後方向にほぼ９０°回動した想像線で示す折り畳み位置まで回動可能となっている。
なお、把手(12)を、例えばアーム(15)の基部において平面視Ｌ字状に折曲することにより、把持部(16)がボード本体(３)の前後いずれかの面に近接する位置まで回動しうるようにしてもよい。
【００２３】
したがって、把手(12)を使用位置とすることにより、その把持部(16)を持って、スタンドボード(Ａ)を自由に移動させることができるとともに、図４に示すように、把手(12)をボード(２)に対してほぼ直角に回動させておくことにより、スタンドボード(Ａ)を壁(17)に隙間なく当接させて配置することができる。
【００２４】
また、図５に示すように、２個のスタンドボード(Ａ)(Ａ)を任意の角度(α)をもって交差するようにして配置する場合は、互いに隣接する１対の把手(12)(12)同士を、２個のスタンドボード(Ａ)(Ａ)がなす広い方の角度(β)の二等分線の方向を向かせることにより、スタンドボード(Ａ)(Ａ)を隙間なく当接させて配置することができる。
【００２５】
以上のように、このスタンドボード(Ａ)は、移動時に把手(12)を持って操作することができ、操作性に優れるとともに、把手(12)を回動可能とすることにより、複数配列する際に、隙間なく配列することができ、美観を損なうことがない。
【００２６】
図６は、本発明の第２の実施形態を示す要部の断面図、図７は、同じく、分解斜視図である。
この例では、把手(12)は、軸孔(18)を有する筒部(13)の上下の端部から１対のアーム(15)(15)が延出し、両アーム(15)(15)の先端部間に上下方向を向く丸棒状の把持部(16)が連設された一体型のものとしてある。
【００２７】
支柱(１)は、上下１対の筒体(19)(20)と、両筒体(19)(20)に嵌合された軸(21)とにより形成し、上下の筒体(19)(20)間に把手(12)の筒部(13)を挟んで、それらに軸(21)を連続して嵌合することにより、把手(12)を支柱(１)に枢着してある。
【００２８】
このような構成とすると、支柱(１)の組み立て時に、把手(12)を、固定部品等を使用することなく、支柱(１)に簡単に組み付けることができる。
【００２９】
なお、把手(12)は、ボード(２)の両側端部に設けるのが好ましいが、一方の側端部のみに設けてもよい。
また、把手(12)の形状はどのようなものでもよく、例えば、筒部(13)の上部、下部または中位部のいずれかから１個のアームが延出し、そのアームの先端部に、上向き、下向き、または上下両方向を向く丸棒状の把手部を設けたり、球頭状の把持部を設けたりしてもよい。
【図面の簡単な説明】
【００３０】
【図１】本発明の第１の実施形態の外観斜視図である。
【図２】同じく、分解斜視図である。
【図３】図１のIII−III線に沿う拡大横断平面図である。
【図４】使用状態の一例を示す概略平面図である。
【図５】同じく、使用状態の他の例を示す概略平面図である。
【図６】本発明の第２の実施形態における一部を破断して示す要部の正面図である。
【図７】同じく、分解斜視図である。
【符号の説明】
【００３１】
(１)支柱
(1a)脚
(1b)細径部
(２)ボード
(３)ボード本体
(４)止ねじ
(５)上枠
(5a)溝
(６)下枠
(6a)溝
(７)止ねじ
(８)縦枠
(8a)溝
(９)キャスタ
(10)ブラケット
(11)止ねじ
(12)把手
(12a)把手片
(13)筒部
(13a)半円頭部
(14)止ねじ
(15)アーム
(16)把持部
(17)壁
(18)軸孔
(19)(20)筒体
(21)軸
(Ａ)スタンドボード
(α)(β)角度
【図１】
2006137035.tif 000003
【図２】
2006137035.tif 000004
【図３】
2006137035.tif 000005
【図４】
2006137035.tif 000006
【図５】
2006137035.tif 000007
【図６】
2006137035.tif 000008
【図７】
2006137035.tif 000009